Podtech/llm-jp-corpus-v4-ja_patent huggingface dataset:
(57)【要約】【課題】本発明は、ネジにワッシャを入れソケット穴に差込み、平面、曲面の鉄壁などに磁力を利用し磁着できる補助工具を提供する。【解決手段】ソケット底部に磁石を設け、その磁力でネジと鉄壁面などに磁着し、ソケットと台座は脱着可能、柔軟タイプの台座を使用することで曲面の磁着性を維持し、ソケット数も台座の変更でその用途に対応できることを特徴とする磁気ボルトスタンド。【選択図】図１
2020151819.tif 000002
【特許請求の範囲】
【請求項１】
ソケット（１）の底部に磁石（３）を設け、その磁力でネジ先端と鉄壁面などに磁着できることを特徴とする磁気ボルトスタンド。
【請求項２】
ソケット（１）と台座（２）は脱着式で、台座（２）硬質（プラスチック、アルミ等）タイプは平面鉄壁に適し、柔軟（ゴム、シリコン等）タイプでは曲面鉄壁に適する、設置ネジ数も台座を変更し対応することを特徴とする磁気ボルトスタンド。
【発明の詳細な説明】
【技術分野】
【０００１】
本発明は、ネジにワッシャを入れソケットに差込み、平面、曲面の鉄壁などに磁力を利用し磁着できる補助工具に関するものである。
【背景技術】
【０００２】
従来、ネジを鉄壁などに仮置きたいときは、皿の裏に磁気を施したものを使用していた。
【発明の概要】
【発明が解決しようとする課題】
【０００３】
これは、次のような欠点があった。
(イ)一つ取りたくても掴みにくく複数個磁着し磁力が弱まった瞬間に落下することがあった。
(ロ)皿自体は、曲面の磁着にも不十分であった。
(ハ)汚れた手でネジ部を汚すことがあった。
【課題を解決するための手段】
【０００４】
ソケット（1）  台座（2）  磁石（3 ）を設ける。
本発明は、以上の構成によりなる磁気ボルトスタンドである。  
【発明の効果】
【０００５】
（イ）ネジ頭部とワッシャを同時に掴むため、泥などで汚れた手でもネジ部を汚すことが少なくなる。
（ロ）ネジ頭部とワッシャを同時に掴めるため、ネジ凹部への接続が容易になる。  
（ハ）ソケット（１）と台座（２）は、脱着式を実現することによって、ネジ個数、設置面などにより適した台座（２）を使用できる。
（二）ソケット底部に磁石を設けたため、ネジ先端が磁着し逆さまにしても落下しない磁力を有する。
（ホ）台座（2）は硬質（プラスチック、アルミ等）タイプと柔軟（ゴム、シリコン等）タイプを使い分けることで、硬質タイプは平面に適し、柔軟タイプを使用することによって曲面でも磁着性が維持できる。
【図面の簡単な説明】
【０００６】
【図１】本発明の斜視図である。
【図２】本発明のソケット部分の断面図である。
【図３】本発明の分解図である。
【実施例】
【０００７】
既製杭の継手ＴＰプレート取り付け時などである。  
【符号の説明】
【０００８】
（１）ソケット
（２）台座
（３）磁石
【図１】
2020151819.tif 000003
【図２】
2020151819.tif 000004
【図３】
2020151819.tif 000005
(57)【要約】【課題】各種お祝い事で贈る紙幣は、紙の袋に入れるものが主流であるが、華やかで品よく、安価な商品を制作しようとするものである。【解決手段】平面状部材によって、逆円錐の筒状にし、一端側に差し入れ口、他端側に差し入れ口より小さい貫通口を形成し、他端側に棒状部材を取り付け、ループ状又は花状に形成し、その中心部に紙幣やチケットを差し込むことができる花材を形成し、一輪の花にみたてた花材とすることができる。また、生花や造花などあらゆる商材と組み合わせることで、ブーケやアレンジメントにすることが出来る花材である。【選択図】図１
2020151440.tif 000002
【特許請求の範囲】
【請求項１】
平面状部材によって、逆円錐の筒状にし、一端側に差し入れ口、他端側に差し入れ口より小さい貫通口を形成し、他端側に棒状部材を取り付け、ループ状又は花状に形成し、その中心部に紙幣やチケットを差し込むことを特徴とする花材。
【請求項２】
請求項１に記載の花材を一輪の花にみたて、複数本束ねたことを特徴とする花材束。
【請求項３】
請求項１に記載の花材を複数の装飾材と組み合わせて配置されたこと特徴とするブーケ。
【発明の詳細な説明】
【技術分野】
【０００１】この発明は、紙幣やチケットをブーケやアレンジメントのように、華やかにするための花材に関するものである。
【背景技術】
【０００２】従来より、ブーケに人形などを取り付け束ねたものがあった。
【先行技術文献】
【特許文献】
【０００３】
【特許文献１】実用新案登録第３１７９２２８号
【発明の概要】
【発明が解決しようとする課題】
【０００４】各種お祝い事で贈る紙幣は、紙の袋に入れるものが主流であるが、華やかで品よく、安価な商品を制作しようとするものである。
【課題を解決するための手段】
【０００５】安価でカラフルな平面状の部材で、ループ状や花状にし、リボンなどで装飾することで、華やかになる。
【発明の効果】
【０００６】本発明の花材、花材束及びブーケにより、華やかで品が良く安価な商品を提供できる効果を奏する。
【図面の簡単な説明】
【０００７】
【図１】  ループ状にして、リボンなどの装飾をつけ、棒状部材を取り付けた斜視図。
【図２】  図１のループ状の物の側面図。
【図３】  図１のループ状の物を開き棒状部材を固定具で取り付けた平面図。
【図４】  筒状の上部に花びら状部材を花状にして棒状部材を取り付けた斜視図。
【図５】  本発明の一例として、図１のループ状のものを束ねた図。
【図６】  本発明の一例として、花束に図１のループ状のものを入れた図。
【図７】  本発明の一例として、キャンディ束に図１のループ状のものを入れた図。
【図８】  本発明の一例として、バルーンアレンジメントに図４の花形のものを入れた図。
【発明を実施するための形態】
【０００８】図１から図８を用いて本発明を説明する。
図１から図３に示すように、平面状部材によって、逆円錐の筒状にし、一端側に差し入れ口、他端側に差し入れ口より小さい貫通口を形成し、他端側の下方部に棒状部材を取り付け、ループ状又は花状に形成し、その中心部に紙幣やチケットを差し込めるようにする。
図３に示すように固定具で平面状部材に棒状部材を取り付け、平面状部材をループ状、花状に形成し、その中心部分を逆円錐の筒状にして、下方部に棒状部材部材が取り付けられた状態になり、花束にする際束ねやすくなり、アレンジメントに差し込みやすくなる。平面状部材に取り付けた固定具は、平面状部材の材質と同じものを使用することで、紙幣やチケットが傷ついたり、引っかからないようにすることができる。平面状部材は滑りにくい材質で作成しており、例えば、布、紙、合成樹脂、などのシートを使用する。
平面状部材で中心部分を逆円錐の筒状の穴を作り、紙幣やチケットを丸めて貫通させることで、傷つけることなく逆さにしても落ちにくい構造になる。
棒状部材は、ワイヤー、竹ひご、プラスティックスティックなどを使用する。
図４に示すように、逆円錐の筒状の上部に花びら状部材を取り付け、花の形に形成して、その下方部に棒状部材を取り付けている。
【０００９】図５から図８に示すように、平面状部材をカラフルにすることにより、チケットや紙幣の暗い色味を華やかに見せる。ブーケやアレンジメントを形成する複数の装飾材は、花、造花、バルーン、キャンディなど、あらゆる商材と組み合わせてまとめることで、年齢や用途に合わせたギフトになる。本発明の花材、花材束及びブーケを使用目的に応じて、組み合わせることにより、誕生日や成人祝い、お年玉など、お祝い金を楽しくプレゼントできる。更に、１本でもラッピングをすることで、一輪の花束のようになる。本発明の花材、花材束及びブーケに紙幣やチケットを入れることで、バリエーションも増え、結婚式のブーケトスなど男性の来賓者にも喜んでもらえる。
【符号の説明】
【００１０】１．紙幣又はチケット
２．リボン
３．平面状部材
４．棒状部材
５．平面状部材の上に棒状部材を張り付ける固定具
６．平面状部材を花びらの形にしたもの
７．図１のループ状に形成した平面状部材
８．リボン
９．ラッピング不織布
１０．花
１１．キャンディ
１２．図２の花状に形成した平面状部材
１３．バルーン
１４．花かご
【図１】
2020151440.tif 000003
【図２】
2020151440.tif 000004
【図３】
2020151440.tif 000005
【図４】
2020151440.tif 000006
【図５】
2020151440.tif 000007
【図６】
2020151440.tif 000008
【図７】
2020151440.tif 000009
【図８】
2020151440.tif 000010
【手続補正書】
【提出日】令和1年11月1日(2019.11.1)
【手続補正１】
【補正対象書類名】特許請求の範囲
【補正対象項目名】請求項１
【補正方法】変更
【補正の内容】
【請求項１】
平面状部材が、逆円錐の筒状に形成され、その一端側が差し入れ口、他端側が差し入れ口より小さい貫通口として形成され、他端側に棒状部材が取り付けられており、ループ状又は花状に形成され、その中心部に紙幣やチケットが差し込めるようにすることを特徴とする花材。
(57)【要約】      （修正有）【課題】『広島風お好み焼き』は、一般家庭には大変難しく家庭では、創りにくい料理です。又、器具を揃えようとしても、分厚い鉄板や、広い場所を必要とするので、金銭的にも一般家庭では困難な商品であります。【解決手段】家庭でも料理可能とした、デザイン的にも今迄に無い、ロール型により、料理時間の短縮を図った画期的商品です。【選択図】図１
2020151443.tif 000002
【特許請求の範囲】
【請求項１】
2020151443.tif 000009
ンレス及び鉄板等、材料にはこだわりません。厚さは、０，５ミリ位〜０，２ミリ位で、先端に向かって薄くなっていくのが理想で、先は少し狭くする。これは、曲がって入れ込む時、入り易くする為です。長さや、幅は材料の
2020151443.tif 000010
く造ってあります。
2020151443.tif 000011
でもあります。材料の焼き上がりが筒型形状になります。  『図１』
【請求項２】
2020151443.tif 000012
又、この架台は『図１』の『広島ロールオコノミー』を丸くする為の物でもあり、材質は鉄材でバネ状になり、押さえる役目もあります。『図２』
【請求項３】
2020151443.tif 000013
ました。これは、［請求項４］で示す内容と同じ働きをします。
『図１』▲２▼
【請求項４】
『広島ロールオコノミーの架台』『図２』と『広島ロールオコノミー』『図１』との間に『図５』で示す煮汁受けをセットしました。これは、
2020151443.tif 000014
その時点で、使用する際は、『図４』の下側面に移動して使います。
【請求項５】
『広島ロールオコノミー』を架台で締め付ける時、『図４』▲３▼の押さえ棒材があれば、より一双、締め付けが上手くいきます。これは、［図２］の製作時点で一緒に取付けても可能とします。
【発明の詳細な説明】
【発明の概要】
【発明が解決しようとする課題】
【００１】
2020151443.tif 000003
等を順番で焼いていく。その過程は熟練者でないと、出来なく一般家庭では味わうことが出来ません。先ず、ある程度焼き上がった材料を衣と一緒
2020151443.tif 000004
広い分厚い鉄板でじっくり温まった上に材料を載せて焼かないと材料が
2020151443.tif 000005
美味いお好み焼きを食べようと思ったら、広島に出かけて食するか、広島のお好み焼き屋さんで数ヶ月、数年訓練した人が県外で出店した処で食する他は、広島で育ち広島でお好み焼きを子供の頃から食べて、焼く事を覚えた人が家庭で焼いてくれた物を食べる事以外、一般家庭で食する事が出来ないのが広島風お好み焼きの一般的な常識と成っています。【００２】
2020151443.tif 000006
2020151443.tif 000007
ノミー』でなければ出来ない特徴であり、初めてお好み焼きを造られる人でも出来る、一般家庭に取り入れられるべき画期的発明であります。デザ
2020151443.tif 000008
界初の発明であると思われます．
【図１】
2020151443.tif 000015
【図２】
2020151443.tif 000016
【図３】
2020151443.tif 000017
【図４】
2020151443.tif 000018
【図５】
2020151443.tif 000019
【手続補正書】
【提出日】令和1年8月21日(2019.8.21)
【手続補正２】
【補正対象書類名】明細書
【補正対象項目名】全文
【補正方法】変更
【補正の内容】
【発明の詳細な説明】
【発明の概要】
【発明が解決しようとする課題】
【００１】従来の広島風お好み焼きは、料理材料（キャベツ、モヤシ、鰹節、焼そば）等を順番で焼いていく。その過程は熟練者でないと、出来なく一般家庭では味わうことが出来ません。先ず、ある程度焼き上がった材料を衣と一緒に鉄板の上でバラバラにしない様に引っくり返す、そして、裏表焼いて材料をじっくり蒸して熟する。この過程が大変な技術的作業です。
広い分厚い鉄板でじっくり温まった上に材料を載せて焼かないと材料が塾しない。ここに大きな美味しくする為の技術的ポイントがあります。
美味いお好み焼きを食べようと思ったら、広島に出かけて食するか、広島のお好み焼き屋さんで数ヶ月、数年訓練した人が県外で出店した処で食する他は、広島で育ち広島でお好み焼きを子供の頃から食べて、焼く事を覚えた人が家庭で焼いてくれた物を食べる事以外、一般家庭で食する事が出来ないのが広島風お好み焼きの一般的な常識と成っています。【００２】この常識を一遍に覆したのがこの『広島ロールオコノミー』です。
まず、料理材料の（キャベツ、モヤシ、鰹節や豚やイカ等）を一人前分を家庭用のフライパン鍋で炒めます。（人に拠っては、豚やイカは別焼きする人もいます）炒め終わったら、焼きそばをコンガリ焼き（程々に炒める）にします。次に［図１］の『広島ロールオコノミー』で焼いた衣の上にこれ等の料理材料（キャベツ、モヤシ、鰹節、焼きそば、豚）を順次乗せて丸くして、［図２］で絞込みする。この時点で少し時間をかける。（この過程が、材料をじっくり蒸して熟する過程になり、『広島ロールオコノミー』でなければ出来ない特徴であり、初めてお好み焼きを造られる人でも出来る、一般家庭に取り入れられるべき画期的発明であります。デザイン的にも信憑性に飛んだ商品であり、食文化の向上に断然役に立つ世界初の発明であると思われます．
【図面の簡単な説明】
【図１】上部斜め横面から見た、『広島ロールオコノミー』を横臥した図面。
【図２】上部斜め横面から見た、『広島ロールオコノミー』を横臥して、締め付けて、一部巻き込みした図面。
【図３】架台とフライパン部を取り外した、単独図面。
【図４】上部斜め横面から見た、『広島ロールオコノミー』を横臥して、締め付けて、一部巻き込みした図面と押さえ金の部品図面。
【図５】上部斜め横面から見た、『広島ロールオコノミー』の汁の受け皿図面。
(57)【要約】      （修正有）【課題】構造物のアンカー施工時、母材穿孔後、孔内清掃をブロワ―又は吸引機などで行っていたが、穿孔口径に合った清掃補助具を提供する【解決手段】ブロワ―４に既存のホース３を取り付け、穿孔口径と穿孔長さに適したサイズのアンカー口径適用清掃ホース補助具１を連結具２で既存のホース３先端部に固定し使用する。またアンカー口径適用清掃ホース補助具は、一体型であってそのままブロワ―等の取付口にそのまま取り付ける構造であっても構わない。【選択図】図１
2020142040.tif 000002
【特許請求の範囲】
【請求項１】
吸引機、ブロワ―等の清掃機械に取付構造の穿孔口径と穿孔長のアンカー口径適用清掃ホース補助具
【発明の詳細な説明】
【技術分野】
【０００１】本発明はアンカー口径適用清掃ホース補助具に関する
【背景技術】
【０００２】近年、構造物アンカー施工時、ブロワ―または吸引機などにより、母体穿孔後の清掃を行っている
【発明の概要】
【発明が解決しようとする課題】
【０００３】しかし、穿孔口径と穿孔長さに適した取り付けホース等はなく、機械に付属のホース先端に代用品等を粘着テープなどで固定し使用していた
【課題を解決するための手段】
【０００４】穿孔口径と穿孔長さに適したサイズのアンカー口径適用清掃ホース補助具を提供することにより上記課題を解決する
【発明の効果】
【０００５】使用者の代用品を使用して自作する手間を省ける
【発明を実施するための形態】
【実施例】
【０００６】以下、本発明のアンカー口径適用清掃ホース補助具を説明する【０００７】図１は本発明の実施例構成図であり、ブロワ―４に既存のホース３を取り付け、アンカー口径適用清掃ホース補助具１を連結具２で既存のホース３先端部に固定し使用する。またアンカー口径適用清掃ホース補助具は、図１の一体型であってそのままブロワ―等の取付口にそのまま取り付ける構造であっても構わない。【０００８】図２は母体コンクリート５に穿孔後、図１を使用して切粉６の清掃の状態図である
【図面の簡単な説明】
【０００９】
【図１】実施例の構成図
【図２】図１の作用状態図
【符号の説明】
【００１０】１  アンカー口径適用清掃ホース補助具
２  連結具
３  既存のホース
４  ブロワ―
５  母体コンクリート
６  切粉
【図１】
2020142040.tif 000003
【図２】
2020142040.tif 000004
(57)【要約】【課題】本発明は、電動歯ブラシに関する技術を提供する。【解決手段】歯ブラシ本体（３）の内部にマイクロモーター（１）を設け、これに直結させてレシプロ変換器（２）を設ける。さらにこのレシプロ変換器（２）の他端にブラシ本体（６）を装着する。このブラシ本体の先端部分は歯ブラシ本体（３）から前後駆動（８）により突き出るように設ける。同じく歯茎ガード（５）も歯ブラシ本体（３）から突き出るように設ける。さらに電池（８）を配線して設ける。また歯ブラシ本体（３）の表面にガードスライド（７）と電源スイッチ（４）を装着して設ける。【選択図】図１
2020142035.tif 000002
【特許請求の範囲】
【請求項１】
歯ブラシ本体（３）の内部にマイクロモーター（１）を設け、これに直結させてレシプロ変換器（２）を設け、さらにこのレシプロ変換器（２）の他端にブラシ本体（６）を装着し、このブラシ本体の先端部分は歯ブラシ本体（３）から前後駆動（８）により突き出るように設け、同じく歯茎ガード（５）も歯ブラシ本体（３）から突き出るように設け、さらに電池（８）を設け、また歯ブラシ本体（３）の表面にガードスライド（７）と電源スイッチ（４）を装着して設ける、
このような特徴よりなる、乾電池電動歯ブラシ。
【発明の詳細な説明】
【技術分野】
【０００１】  本発明は、電動歯ブラシの技術に関するものである。
【背景技術】
【０００２】  従来より、電動歯ブラシはいろいろ開発されている。
【発明が解決しようとする課題】
【０００３】  現在、電動歯ブラシは多機能化されており、前後動や首振り動等が同時に混合で動くタイプが多く、この複雑な動きが歯茎を傷つけていた。
これらの問題点を改善し、今までにない有効な本発明がなされたのである。
【課題を解決するための手段】
【０００４】  本発明はまさしく簡単な構成で形成されている。以下解決手段を説明する。
まず図１のごとく、歯ブラシ本体（３）の内部に、動力のマイクロモーター（１）を固定して設ける。次に該モーターに直結させて固定した、レシプロ変換器（２）を設ける。この該変換器はマイクロモーター（１）の回転力を、前後の動きに変換するもので、超小型で機関車のシリンダー構造に近いものである。そして次にこのレシプロ変換器（２）の他端に、ブラシ本体（６）を装着する。このブラシ本体（６）は半分以上が、歯ブラシ本体（３）から突き出して設けられている。またさらに歯茎ガード（５）を歯ブラシ本体（３）から突き出てくるように装着して設け、これが手動にて前後にスライドするように設ける。次に駆動電源である電池（８）を装着して設ける。さらに歯ブラシ本体（３）の表面上に、歯茎ガード（５）を前後にスライドさせるガードスライド（７）を設け、最後に電源スイッチ（４）を装着して設ける。
このような特徴よりなる、乾電池電動歯ブラシである。
【発明の効果】
【０００５】  最近の電動歯ブラシは、縦横首振り等多彩な動きをするものが多く主流となっている。この歯ブラシの動きは、よく磨かれているように見えるが、実際は歯茎を傷つけてしまう。本発明は前後動のゆっくりした動きのみの、歯ブラシであり、さらに歯茎ガードを備えているので、ソフトに健康的な歯磨きが実現した。
【発明を実施するための最良の形態】
【０００６】  ケースである、歯ブラシ本体（３）の内部に、歯ブラシを動かす動力のマイクロモーター（１）を固定して設ける。次に該モーターに直結で固定した、回転を前後動の動きに変えるレシプロ変換器（２）を設ける。つまり、この該変換器はマイクロモーター（１）の回転力を、前後の動きに変換するもので、超小型で機関車のシリンダー構造に近いものである。そして次にこのレシプロ変換器（２）の他端に、ブラシ本体（６）を装着する。このブラシ本体（６）は半分以上の適当なる長さで調整され、歯ブラシ本体（３）から突き出して設けられている。またさらに歯茎ガード（５）を歯ブラシ本体（３）から突き出てくるように装着して設け、これが手動にて前後にスライドするように設ける。また歯茎ガード（５）は柔らかい材質がベストである。次に駆動電源である電池（８）を装着して配線して設ける。さらに歯ブラシ本体（３）の表面上に歯茎ガード（５）を前後にスライドさせるガードスライド（７）を設け、最後に電源スイッチ（４）を配線して装着して設ける本発明は、以上のような構成であり、これを使用実施するときには、【０００７】  歯茎ガード（５）をガードスライド（７）で伸ばし、歯茎に押し当てて止める。次に電源スイッチ（４）をＯＮにすれば、ブラシ本体（６）がゆっくりと前後駆動（８）始めソフトに歯が磨がかれる。
【図面の簡単な説明】
【０００８】
【図１】  本発明の透視斜視図である。
【符号の説明】
【０００９】  １  マイクロモーター
２  レシプロ変換器
３  歯ブラシ本体
４  電源スイッチ
５  歯茎ガード
６  ブラシ本体
７  ガードスライド
８  前後駆動
【図１】
2020142035.tif 000003
(57)【要約】【課題】滑り止めの安全と衛生を兼ね備えたスリッパを提供する【解決手段】スリッパは底面が凸凹状の滑り止め加工した合成ゴム等で形成されるアウトソール４を備え、クッション性及び衝撃吸収性の含んだミッドソール３をアウトソール４の内部に敷く。アッパー部２の中取り外し可能なインソール１を足裏の直接接触部に設置し、柔軟にどんな形にもフィットさせる履き心地間を生じる。アウトソール４、ミッドソール３の上部にアッパー部２が乗り、その中に取り外し可能のインソール１が組み合わさる構造となり、インソールの交換により劣化性、衛生的、経済的にも安易なスリッパとなる【選択図】図１
2020142057.tif 000002
【特許請求の範囲】
【請求項１】
スリッパの靴底にアウトソールの中にミッドインソールを設けアッパー部分と縫着し取り外し可能なインソールを組み合わせた構造の安全と衛生を兼ね備えたスリッパ
【請求項２】
請求項１の靴底のミッドソールはクッション性、衝撃吸収性を有する特徴を持つ形質の請求項１に記載のスリッパ
【請求項３】
請求項１の靴底のアウトソールは、前記ミッドーソールを保持又は直接外側に出ない形質となる全体が凹状の形状の請求項１に記載のスリッパ
【請求項４】
請求項１のスリッパの中敷きとは別に使用者の足裏が当接する面の靴底に形成された取り外し可能なインソール（中敷き）が組み合わさる請求項１に記載のスリッパ
【請求項５】
地面に直接設置するアウトソールの底面が凸凹の溝加工の請求項１の記載のスリッパ
【請求項６】
アウトソールの底面とは反対の内側の踵部分に弾力性を生ませる溝形状がある、請求項１の記載のスリッパ
【請求項７】
アウトソールに縫製用の穴が空いた請求項１の記載のスリッパ
【発明の詳細な説明】
【技術分野】
【０００１】本発明は、滑り止めラバーソール及び取り外しインソールを組み合わせた安全と衛生を兼ね備えたスリッパに関する
【背景技術】
【０００２】従来のスリッパはビニールやその他さまざまな素材を使ったスリッパや取り外し可能なインソールスリッパ、洗えるスリッパなどが存在する
【発明の概要】
【発明が解決しようとする課題】
【０００３】しかしながら毎日の使用により底面と中敷きの摩耗と悪臭汚れによる洗浄の際、乾くまで履けなくなるなど滑りやすいものがあり転倒などの欠点があった
【発明を解決するための手段】
【０００４】本発明は、以上のような従来の欠点に鑑み、スリッパの底面全体にゴム性の滑り止め加工したアウトソール及び、取り外し可能なインソールにより上記課題を解決するものである
【発明の効果】
【０００５】上記目的を達成するために、本発明は、滑り止め加工ラバーソールにより安全と底面の消耗を抑え、アウトソールの洗浄が容易に出来る
【０００６】取り外しインソールによる衛生化をはかる事ができ、洗浄し乾かしている間に代わりを敷き履くことで実用性に優れている
【図面の簡単な説明】
【０００７】
【図１】  本発明が示すスリッパの説明図
【図２】  本発明が示すスリッパの立面図
【図３】  図２のａ−ａ’の断面図
【図４】  本発明が示すスリッパのアッパー部の展開図
【図５】  本発明が示すスリッパのアウトソールの内面図
【図６】  本発明が示すスリッパのアウトソールの側面図
【発明を実止するための形態】
【実施例】
【０００８】本発明の安全と衛生を兼ね備えたスリッパついて、図面に基づいて説明する。図１、図２に示すように本発明のスリッパは足裏が当接する取り外し可能インソール１とアッパー部２とアッパー底部２ａとミッドソール３とアウトソール４とから形成されている【０００９】図２のａ−ａ’の断面図が示す図３のＡとＢはアッパー部２とアウトソール４が縫合又は接着される部分であり、ＣとＤはアッパー部２とアッパー底部２ａの縫合又は接着される部分である。よって耐久性に優れ、取り外し可能な取り外し可能なインソール１により、インソール１だけの洗浄や交換により衛生且つ安易に履けるスリッパとなる【００１０】図３のミッドソール３は、クッション性を持ち、例えば、ウレタン樹脂、塩化ビニール、シリコン等などで足への負担を和らげることができる【００１１】図１、図２、図４のアッパー部２は縫合部２ｂと縫合部２ｃが縫合され、アッパー部２の外周部とアッパー底部２ａの縫合によりアッパー部２が成形され構成する形となる事により脱げにくくなるなどの改善も図ることができる【００１２】図５、図６、のアウトソール４は、樹脂素材を金型へ射出成形する事で、滑り防止及びクッション性を要する例えば凸凹状に成形される
【符号の説明】
【００１３】１      取り外し可能インソール
２      アッパー部
２ａ    アッパー下部
２ｂ    アッパー縫合部
２Ｃ    アッパー縫合部
３      ミッドソール
４      アウトソール
Ａ      縫合部
Ｂ      縫合部
Ｃ      縫合部
Ｄ      縫合部
【図１】
2020142057.tif 000003
【図２】
2020142057.tif 000004
【図３】
2020142057.tif 000005
【図４】
2020142057.tif 000006
【図５】
2020142057.tif 000007
【図６】
2020142057.tif 000008
(57)【要約】      （修正有）【課題】生体に優しく安価で効果のある悪性腫瘍の理学治療方法に用いる磁気照射装置を提供する。【解決手段】被射体である生体５に回転する磁石１,２による磁力により、又は磁石１,２の方は動かず生体５の方を回転させ、悪性腫瘍細胞内のカリウム陽イオンを細胞外に漏洩させ、悪性腫瘍細胞内を強く酸性に傾かせることにより悪性腫瘍細胞を死滅さす。【選択図】図１
2020142046.tif 000002
【特許請求の範囲】
【請求項１】
磁気照射される被射体にて、磁力線の方向と密度の分布ができるだけ変化しない様にして磁力線源の磁石と磁気照射される被射体の相対的位置を移動する磁気照射方法。
【請求項２】
磁石を回転して被射体に磁気を照射する請求項１記載の磁気照射方法。
【請求項３】
被射体を回転して被射体に磁気を照射する請求項１記載の磁気照射方法。
【発明の詳細な説明】
【０００１】  本発明は悪性腫瘍の理学療法に関する。
【背景技術】
【０００２】  従来悪性腫瘍の理学療法として悪性腫瘍組織を低温や高温にして凍結や凝固し壊死させたり、もっとマイルドな高温にするハイパーサーミアがあった。共に生体に比較的優しい理学療法であるが、悪性腫瘍を根治することが困難なうえ比較的高価であった。【０００３】  そこで悪性腫瘍組織のみ選択的に作用し、生体に負担のない安価で効果のある悪性腫瘍の理学療法が求められていた。
【先行技術文献】
【０００４】
【非特許文献１】膜電位  ｗｉｋｉｐｅｄｉａ
【発明の概要】
【発明が解決しようとする課題】
【０００５】  悪性腫瘍の治療は非常に生体に負担をかけ高価であるにもかかわらず、効果に乏しい治療法が多かった。【０００６】  本発明方法は、このような従来の悪性腫瘍治療法が有していた問題を解決しようとするものであり、生体に負担がなく安価で効果のある悪性腫瘍の理学療法を提供しようとするものである。
【課題を解決するための手段】
【０００７】  そして本発明方法は上記目的を達成するために、磁気照射される被射体である生体の上下に円板状の磁石を設置し、この円板状の磁石を回転さすことにより生体内のイオンを電磁流量計の原理であるローレンツ力にて陽イオンと陰イオンをそれぞれ反対方向に移動さす。【０００８】  このことにより細胞内のカリウム陽イオンを細胞外液中に流出させ悪性腫瘍細胞内を酸性に傾かせ悪性細胞を死滅さす。
【発明の効果】
【０００９】  本発明方法は、上記のような方法をとっているので、磁石を回転しても生体の各部分の磁力線の方向や密度は変化しないため、生体に有害な電磁誘導電流は発生しない。【００１０】  ローレンツ力によって細胞内の非常に多いカリウム陽イオンは、非特許文献１に記載のように常時開いている漏洩チヤネルにて細胞外液中に流出する。この時反対側の細胞膜の外側にある細胞外液中に非常に多く存在しているナトリウム陽イオンは、ローレンツ力によりこの反対側の細胞膜附近に集められるが、細胞膜の内側の電位は少しも上昇しないため、この部分にある細胞膜上のナトリウム陽イオンチヤネルは開かれず、細胞内にナトリウム陽イオンはほとんど流入せず、細胞は酸性に傾く。【００１１】  腫瘍細胞は細胞間の結合が悪く細胞間の距離が大きい。そして腫瘍組織全体の細胞外液の流出も悪く、水浸しの状態であるので、腫瘍細胞内のカリウム陽イオンは容易に細胞外に流出し、もともと嫌気性解糖により腫瘍細胞内は酸性化しているが、より酸性化して死滅する。【００１２】  これに反して正常細胞は各細胞間の接着のため細胞外の間隙がほとんどなく、細胞内のカリウム陽イオンの少しの漏洩によりすぐに細胞外液の電位が上昇して、細胞内のカリウム陽イオンはほとんど出て行かないため、酸性化はほとんどなく生存できている。
【図面の簡単な説明】
【００１３】
【図１】  本発明磁気照射方法の説明図
【発明を実施するための形態】
【００１４】  以下本発明磁気照射方法の実施例を図に基ずいて説明する。
【実施例】
【００１５】  図１に示すように、被射体である生体の上下に円板状の磁石１、２を設置して、各々は回転軸３、４にて同じ方向に回転させられている。この時磁石１、２は磁力線の方向、その密度がほぼ均一な磁場を形成しているので、磁石１、２が回転しても生体５の各部にて磁力線の方向密度の変化はなく生体５に電磁誘導電流は発生しない。【００１６】  この時被射体である生体内のイオンは、電磁流量計の原理であるローレンツ力にて移動する。【００１７】  細胞内液中の陽イオンとしてはカリウム陽イオンが非常に多く、細胞外液中にはナトリウム陽イオンとクロール陰イオンが非常に多いため、非特許文献１に示されているように細胞内液中のカリウム陽イオンは、常時開いているカリウム漏洩チヤネルを通して細胞外液中に流出する。そこにて細胞外液中のクロール陰イオンと出合うことになる。【００１８】  一方この細胞対側の細胞膜附近には、細胞内液中に陰イオンが多くなり、細胞外液中ではナトリウム陽イオンが多く集まって来るが、そこの細胞膜の内側電位は上昇しないのでナトリウム陽イオンチヤネルは開かず、細胞内にはナトリウム陽イオンはあまり流入できない。【００１９】  悪性腫瘍細胞同士の結びつきは弱く細胞間に細胞外液が豊富に存在するが、正常細胞同士は接着し細胞間隙が狭く、細胞内液から細胞外液にカリウム陽イオンが流出しても、すぐに電位が上昇してカリウム陽イオンの流出は止まる。又悪性腫瘍細胞は嫌気性解糖のため酸性化していて、本発明磁気照射方法により、より酸性に傾き悪性腫瘍細胞は正常細胞に比べて障害を受ける。【００２０】  本発明磁気照射方法は、永久磁石を回転さすだけで達せられ安価であり、被射体である生体のどの部分にも照射可能であり、悪性腫瘍の種類を問わず、又多発全身転移治療が可能で、連続して長時間照射もできる。【００２１】  この時悪性腫瘍細胞内には、ナトリウム陽イオも多少流入して来るが、このためナトリウム／カリウムＡＴＰａｓｅというポンプが活発に稼動してエネルギーを非常に消費する。このエネルギーを悪性腫瘍細胞は、エネルギー効率が悪い嫌気性解糖にて得ているため悪性腫瘍細胞内はより酸性に傾くと同時に非常にひへいする。【００２２】  磁力線の方向と磁力線の密度がほぼ一定の磁場において、生体を回転して生体内のイオンにローレンツ力を与え、イオンを移動さす実施例がある。
【産業上の利用可能性】
【００２３】  本発明は、人や動物の悪性腫瘍治療に利用できる。
【符号の説明】１、２  磁石
３、４  回転軸
５      生体
【図１】
2020142046.tif 000003
(57)【要約】【課題】軽量で高剛性，高減衰特性，低熱変位特性を有するスライド構造体の提供を目的とする。【解決手段】工作機械にスライド可能に設けられた構造体であって、板材及び角材と短形断面形状のパイプ材で構成され、前記パイプ材は内側に繊維強化樹脂が挿入又は充填されていることを特徴とする。【選択図】  図１
2020093372.tif 000002
【特許請求の範囲】
【請求項１】
工作機械にスライド可能に設けられた構造体であって、
板材及び角材と短形断面形状のパイプ材で構成され、前記パイプ材は内側に繊維強化樹脂が挿入又は充填されていることを特徴とするスライド構造体。
【請求項２】
前記板材及び角材は鋼材で製作され、前記パイプ材は鋼材製であるとともに前記板材及び角材と前記パイプ材が相互に溶接接合されていることを特徴とする請求項１記載のスライド構造体。
【請求項３】
前記繊維強化樹脂は炭素繊維強化樹脂であり、前記パイプ材を金型として充填成型したものであることを特徴とする請求項１又は２記載のスライド構造体。
【発明の詳細な説明】
【技術分野】
【０００１】
本発明は、工作機械に主軸頭，主軸台，刃物台等の移動構造物を据え付けるためのスライド構造体に関する。
【背景技術】
【０００２】
工作機械には、多軸制御された立形（縦型）マシニングセンター，横型マシニングセンター，門形マシニングセンター，複合加工機等や、旋盤，フライス盤，削り盤，ボール盤，中ぐり盤等の特定の用途に特化したもの等、多くの種類がある。
これらの工作機械には、主軸頭，ツール等を移動制御するためのラム等のスライド構造体、主軸を移動制御する主軸台等のスライド構造体、バイトやタレット等を移動制御するための刃物台、テーブルを移動制御するサドル等のスライド構造体等、用途に応じて各種スライド構造体が採用されている（特許文献１，２）。
これらのスライド構造体は、主軸，ツール，ワーク（加工物）等の移動を制御するためのものであり、そのスライド精度を確保するのに高い静剛性、動剛性としての高い減衰性、小さい熱変位等の特性が要求されるとともに、コンパクト設計のための軽量化が要求されている。
これらの構造体に従来は、ねずみ鋳鉄が採用されていたが、高剛性を確保するには重くなり、軽量化が難しかった。
【先行技術文献】
【特許文献】
【０００３】
【特許文献１】特開２０１５−２０２５５５号公報
【特許文献２】特開平０２−１８５３０１号公報
【発明の概要】
【発明が解決しようとする課題】
【０００４】
本発明は、軽量で高剛性，高減衰特性，低熱変位特性を有するスライド構造体の提供を目的とする。
【課題を解決するための手段】
【０００５】
本発明は、工作機械にスライド可能に設けられた構造体であって、板材及び角材と短形断面形状のパイプ材で構成され、前記パイプ材は内側に繊維強化樹脂が挿入又は充填されていることを特徴とする。
【０００６】
ここで、スライド構造体は、ラム，サドル等と称される移動構造物をいい、各種主軸台や刃物台も含まれる。
【０００７】
本発明において、繊維強化樹脂はパイプ材にて包み込んであるので、板材及び角材は鋼材で製作され、前記パイプ材は鋼材製であるとともに前記板材及び角材と前記パイプ材が相互に溶接接合されていてよい。
短形断面形状のパイプ材の内側に繊維強化樹脂（ＦＲＰ）を挿入又は充填したので、軽量，小型断面でありながら高剛性となる。
【０００８】
ＦＲＰ材としては、炭素繊維を用いたＣＦＲＰ，ガラス繊維を用いたＧＦＲＰ等が例として挙げられる。
これらのＣＦＲＰ，ＧＦＲＰは、パイプ材を金型として内側に充填成型することもできる。
【発明の効果】
【０００９】
本発明に係る工作機械のスライド構造体は、ＣＦＲＰ，ＧＦＲＰ等の繊維強化樹脂を挿入又は充填した短形断面形状のパイプ材を採用したので、静剛性が向上し減衰性に優れ、熱変位を小さく抑えることができる。
【図面の簡単な説明】
【００１０】
【図１】本発明に係るスライド構造体の例を示す。
【図２】図１に示したスライド構造体の断面図を示す。
【図３】従来のねずみ鋳鉄製の例を示す。
【発明を実施するための形態】
【００１１】
図１に本発明に係る工作機械のスライド構造体を模式的に示し、図２に断面構造を示す。
鋼材からなる板材１１，角材１３と複数のパイプ材１２ａ〜１２ｄを相互に溶接接合して、全体としてスライド構造体１０を形成してある。
鋼材としては、骨材として使用されている一般的なものを採用することが出来る。
例えば、ＳＳ４００（一般構造用圧延銅材）とＳＴＫＲ４００（一般構造用角形鋼管）を組み合せて製作することができる。
【００１２】
図１，２に示したスライド構造体１０の実施例は、立形マシニングセンターのラムとして図３に示すように、従来のねずみ鋳鉄製のものを鋼材とＣＦＲＰとの組合せにて製作した例である。
図１，２に示すように、中央部を板材１１とパイプ材１２ｂで形成し、その両側に左右対称となるようにパイプ材１２ｃと、このパイプ材１２ｃにパイプ材１２ａを相互に溶接接合してある。
上部側の両側のパイプ材１２ａには、それぞれ角材１３を溶接し、図示を省略した主軸頭の連結部を形成した例になっている。
また、パイプ材１２ｃの下側は左右の角材１３ａと、パイプ材１２ｄにてスライド部１５との連結部を形成し、ボールネジ機構等により上下移動制御されている。
パイプ材１２ａ〜１２ｄの内側（内部）には、ＣＦＲＰのフレーム材又は板材１４ａ〜１４ｄを挿入してある。
このＣＦＲＰは、パイプ材を金型として充填成型してもよい。
本実施例に係るスライド構造体１０を図３に示した従来のねずみ鋳鉄のものと比較したところ、静剛性５０％向上，減衰比５０％向上，熱変位２０％低減を達成することができた。
【符号の説明】
【００１３】
１０      スライド構造体
１１      板材
１２ａ    パイプ材
１３      角材
１４ａ〜１４ｄ    ＣＦＲＰ
【図１】
2020093372.tif 000003
【図２】
2020093372.tif 000004
【図３】
2020093372.tif 000005
(57)【要約】【課題】マンホールポンプ場では生活で排出される油などの付着物が流入し、油などの付着物が肥大化し、定期的にマンホール内に入り、スクレーパー等を使用し、肥大化した付着物や油の塊を取り除く必要がある。本発明は、マンホール内に出来る油などの付着物を洗浄し、塊の発生を軽減することを目的とする。【解決手段】本発明は、圧送管から分岐するエア抜き用ソケットへ接続し、水圧を利用し、回転するノズルから水が出ることにより、マンホールポンプ場内の壁を水で洗浄することで、油などの付着物が肥大化してしまうことを未然に防止することで上記の問題を解決するものである。【選択図】図５
2020093241.tif 000002
【特許請求の範囲】
【請求項１】
マンホールポンプ装置に設置し、圧送管からの水圧を利用してマンホール壁面の付着物及を洗い流すノズルを備えることを特徴とするマンホール壁面洗浄装置。
【請求項２】
離間した二つのベアリング備えることを特徴とする請求項１に記載のマンホール壁面洗浄装置。
【請求項３】
水圧により回転する回転力孔を有し、噴出する水で壁面を洗浄する洗浄水孔を有することを特徴とする請求項１又は２に記載のマンホール壁面洗浄装置。
【請求項４】
分解、清掃、組立を容易にするセットビスを備えることを特徴とする請求項１又は２又は３に記載のマンホール壁面洗浄装置。
【請求項５】
請求項１、２、３、４のいずれか記載されたマンホール壁面洗浄装置を有することを特徴とするマンホールポンプ装置。
【発明の詳細な説明】
【技術分野】
【０００１】  本発明は、マンホールポンプ場に流入し、壁面に張り付く油などの付着物、の洗浄に関するものである。
【背景技術】
【０００２】  従来、マンホールポンプ場では生活排水が流入する。油などの付着物が、マンホールの壁面へ張り付き肥大化する現状がある。肥大化した、油などの付着物の塊を除去するために定期的に作業を行わなければならない。このような背景からマンホール内の洗浄装置が様々提案されている。
【先行技術文献】
【特許文献】
【０００３】
【特許文献１】特許６０２７３２６号公報
【発明の概要】
【発明が解決しようとする課題】
【０００４】  特許文献１の技術は、スカム発生防止を目的としているものである。しかし、水中を攪拌するだけであり、壁面に付いた油などの付着物を洗い流す機能はない。本発明は、このような従来技術が有する問題を解決し、壁面に付いた油などの付着物、を洗い流すものであること、特別な動力等を必要としない装置、を提供することを目的とする。
【課題を解決するための手段】
【０００５】  本発明は、圧送管から分岐するエア抜き用配管へ接続することにより、回転するノズルから水が出ることにより、マンホールポンプ場内の内壁を洗浄することで、壁面についた油などの付着物が、肥大化してしまうことを未然に防止することで上記の問題を解決したものである。
【発明の効果】
【０００６】  本発明のマンホール壁面洗浄装置は、マンホールポンプ装置を備えた、下水道などのマンホールポンプ場で使用できる。【０００７】  本発明のマンホール壁面洗浄装置は、マンホール壁面の油などの付着物の肥大化を抑制できるものである。【０００８】  本発明のマンホール壁面洗浄装置は、マンホールポンプ場に取り付けができるため、油などの付着物の流入が多いマンホールポンプ場での効果が大いに期待できる。【０００９】  本発明のマンホール壁面洗浄装置は、定期的に除去するべき油などの付着物の形成を防止・低減することができるので、維持管理する上で効果的である。
【図面の簡単な説明】
【００１０】
【図１】マンホールポンプ場内側面図である。
【図２】マンホールポンプ場内平面図である。
【図３】マンホール壁面洗浄装置の側面図である。
【図４】マンホール壁面洗浄装置の断面図である。
【図５】マンホール壁面洗浄装置の組立正面図である。
【本発明を実施するための形態】
【００１１】  この装置は、軸ユニット１８、回転ノズル１９、ユニオン１７、バルブ１６とで構成されている。
【００１２】  つぎに、本発明の実施の形態を図面を参照しながら詳細に説明する。
【００１３】  図１はマンホールポンプ場内側面図である。例えば、下水道マンホールポンプ場において、流入管４よりマンホール本体１に流入し予旋回槽５に流入し、ポンプ２により、圧送管３を通じマンホール外へ吐き出される。
【００１４】  本発明の装置は、図１、図２で示すように、マンホール壁面洗浄装置２０は、エア抜き用ソケット１５が存在する場合は、エア抜き用ソケット１５へ接続する。材料は、腐食に耐えうるよう塩化ビニール及びステンレス製とする。
【００１５】  図３、図４は装置の構図を示す側面図および断面図である。装置内部の上ベアリング１０と下ベアリング１１は中間カラー１２を挟むことにより２個を離して配置し、回転ノズル１９が回転したときに芯がぶれないように加工してあり、下部カラー１３によりベアリングが軸ユニット１８から外れない構造である。回転軸８は、上部カラー１４により軸ユニット１８から外れないようにセットビス９で固定されている。また、セットビス９を外すことにより詰まった際の分解清掃を容易な構造とする。１つもしくは複数の孔からなる回転力孔６から噴出される水がノズルを回転する力を生み、１つもしくは複数の孔からなる洗浄水孔７から噴出される水でマンホール内壁面を洗浄する構造である。
【００１６】  図５は組立正面図である。ユニオン１７を使用することにより、詰りが発生した際などに、安易に取外し復旧を行えるようになっている。また、ポンプ能力によって水圧が異なるので、バルブ１６を調整することにより洗浄水の量を調整する構造である。
【符号の説明】
【００１７】１    マンホール本体    ２    ポンプ              ３    圧送管
４    流入管            ５    予旋回槽            ６    回転力孔
７    洗浄水孔          ８    回転軸              ９    セットビス
１０  上ベアリング      １１  下ベアリング        １２  中間カラー
１３  下部カラー        １４  上部カラー          １５  エア抜き用ソケット
１６  バルブ            １７  ユニオン            １８  軸ユニット
１９  回転ノズル        ２０  マンホール壁面洗浄装置
【図１】
2020093241.tif 000003
【図２】
2020093241.tif 000004
【図３】
2020093241.tif 000005
【図４】
2020093241.tif 000006
【図５】
2020093241.tif 000007
(57)【要約】      （修正有）【課題】各種及び機能性プラスチックカード類を財布や名刺入れのカードホルダーから取り出すのに外側付近の長辺に４ヶ所と短辺に３ヶ所の滑り止めの小さな凸突起物を設けた能率各種及び機能性プラスチックカードを提供する。【解決手段】各種及び機能性プラスチックカード類（１）の外側付近の長辺に４ヶ所と短辺に３ヶ所の滑り止めの小さな凸突起物（２）を設けた能率各種及び機能性プラスチックカード類を特徴とする。【選択図】図１
2020093510.tif 000002
【特許請求の範囲】
【請求項１】
各種及び機能性プラスチックカード類の外側付近の長辺に４ヶ所と短辺に３ヶ所の滑り止めの小さな凸突起物を設けた能率各種及び機能性プラスチックカード。
【発明の詳細な説明】
【技術分野】
【０００１】この発明は、滑り止めの小さな凸突起物を付着させた各種及び機能性プラスチックカード類（銀行、クレジット、証明、所属、免許、学生＆その他カード）に関するものである。
【背景技術】
【０００２】従来、各種及び機能性プラスチックカード類に滑り止めを施したものはなかった。
【先行技術文献】
【特許文献】
【０００３】
【特許文献１】
【発明の概要】
【発明が解決しようとする課題】
【０００４】これは次のような欠点があった。
従来、各種及び機能性プラスチックカード類を財布や名刺入れのカードホルダーから取り出す時に年配者の方々や指が濡れていたらカードが滑ってなかなか取り出せなかった。
本発明は、以上のような欠点をなくすためになされたものである。
【課題を解決するための手段】
【０００５】各種及び機能性プラスチックカード類の外側付近の長辺に４ヶ所と短辺に３ヶ所の滑り止めの小さな凸突起物を付着させる。
本発明は、以上の構成よりなる能率各種及び機能性プラスチックカード類である。
【発明の効果】
【０００６】（イ）財布や名刺入れのカードホルダーから各種及び機能性プラスチックカード類を取り出す時そのカードの外側付近に滑り止めの小さな凸突起物を数ヶ所施しておけば滑らずに簡単に取り出すことが出来る。
（ロ）カードホルダー口をいちいち左指で拡げてカードの淵を右手で持って取り出す手間が省ける。
【図面の簡単な説明】
【０００７】
【図１】  本発明の正面図である。
【図２】  本発明の側面図である。
【図３】  本発明の横側面図である。
【発明を実施するための形態】
【０００８】以下、本発明を実施するための形態について説明する。
各種及び機能性プラスチックカード類（１）の外側付近の長辺に４ヶ所と短辺に３ヶ所の滑り止めの小さな凸突起物（２）を付着する。
本発明は、以上のような構造である。
これを使用するときは、カードが滑ってなかなか取り出せない場合に滑り止めが指先に引っ掛かって取り出すことが出来る。
【符号の説明】
【０００９】１  各種及び機能性プラスチックカード類
２  滑り止め小さな凸突起物
【図１】
2020093510.tif 000003
【図２】
2020093510.tif 000004
【図３】
2020093510.tif 000005
(57)【要約】【課題】収容物の大きさや量や重さに関わらず、背負った時に口が開かない構造のリュックサックを提供する。【解決手段】リュックサックの前胴と背胴に両端を連結させたベルトに、スライドすることで支点が変わる角カン等の器具を設置し、角カン等の器具に肩ひもの一端を連結させた構造を特徴とする。【選択図】図１
2020093024.tif 000002
【特許請求の範囲】
【請求項１】
肩ひもを備え背胴と前胴を有するリュックサックにおいて、背胴と前胴に両端を連結させたベルトに、スライドすることで支点が変わる角カン等の器具を設置し、角カン等の器具に肩ひもの一端を連結させた構造を特徴とするリュックサック。
【発明の詳細な説明】
【技術分野】
【０００１】  本発明は、リュックサックを背負った時に、収容物を底に繋がる前胴と背胴の両面でバランス良く支え持ち上げるためのベルトを備えた構造により、口は常に天を向き、収容物の大きさや量や重さによって口が適度に閉じるため、口にファスナー等の留め具を設置しなくとも収容物があらわにならず、片手でも収容物の出し入れが簡単にできるよう配慮したリュックサックに関するものである。
【背景技術】
【０００２】  リュックサックは収容物を肩と背中で支えるため、ショルダーバッグや手提げ鞄に比べて疲労感が軽減され、本や書類や水筒等の重量のある物を運ぶ時に便利である。またリュックサックは背負ってしまえば両手が空くことも利点である。【０００３】  しかしリュックサックは、背胴にのみ肩ひもが連結されている等の形状により、収容物の重さは主に背胴と肩ひもの連結部分にかかるため、収容物が入った状態で口を開けたまま背負うと、口は前胴側に開いてしまう。開いた口を閉めるには、ファスナーを設置したり口を絞る紐を設置する等、前胴の面全体を背胴と肩ひもの連結部分に引っ張り上げて繋げるための装置が必要である。【０００４】  問題は、リュックサックの口を開閉するために行うファスナーの開閉や、紐で絞る等の作業が、片手だけでは手間取り時間がかかるという点である。片手に麻痺や怪我があったり、幼児と繋いだ手を離せない、危険回避のため掴んでいるものを離せない等の状況下で、片手でリュックサックを開閉して収容物を出し入れしたい場合、手間取り時間がかかることになる。
【発明の概要】
【発明が解決しようとする課題】
【０００５】  解決しようとする問題点は、口にファスナーや絞るための紐等を設置しなければ、収容物を入れて背負った時に収容物によっては口が前胴側に開いてしまうリュックサックの構造であり、収容物を入れて背負った時に口が前胴側に開かない構造のリュックサックを提供することを課題とする。
【課題を解決するための手段】
【０００６】  本発明は、リュックサックの袋部分と肩ひもの間に、バランスをサポートするためのベルトを配置した構造が主要な特徴であるリュックサックとする。バランスをサポートするためのベルトとは、スライドすることで支点が変わる角カン等の器具を設置した、袋部分の前胴と背胴に両端を連結するベルトを指し、角カン等の器具には肩ひもの一端を連結させる。
【発明の効果】
【０００７】  本発明のリュックサックは、背負った時に、収容物の大きさや量や重さに関わらず、底に繋がる前胴と背胴で収容物をバランスよく支え持ち上げる構造により口が常に天を向き、かつ口は適度に閉じるため、口にファスナーや絞るためのひもを設置する必要がなく、ホックや磁石等の簡易な留め具のみで蓋機能のあるパーツを口に設置できるため、片手のみで口を開閉でき、片手のみで収容物を出し入れすることができる。
【図面の簡単な説明】
【０００８】
【図１】  本発明の、収容物を底に繋がる前胴と背胴で支え持ち上げるためのベルトを取り付けたリュックサックの例の正面斜視図である。
【発明を実施するための形態】
【０００９】  続いて、本発明の実施の形態について図面を参照しながら説明する。
【００１０】  本発明のリュックサック（１）は、肩ひもが２本の場合（実施例１）と、１本の場合（実施例２）がある。
【００１１】  本発明のリュックサック（１）は、前胴（２）と背胴（３）にベルト（５）の両端がそれぞれ連結し、ベルト（５）には持ち上げる際に支点がフレキシブルに変わる角カン等の器具（６）を設置、角カン等の器具（６）は肩ひも（４）の一端と連結する。
【００１２】  本発明のリュックサック（１）を背負う時、収容物の大きさと量と重さによるベクトルに呼応して角カン等の器具（６）がフレキシブルに移動し支点を変えることにより、天に向いているリュックサック（１）の口の向きが保たれるのと同時に、ベルト（５）と前胴（２）および背胴（３）とのそれぞれの連結部分が近づこうとする力が働くため、口が適度に閉まる。
【符号の説明】
【００１３】１  リュックサック
２  前胴
３  背胴
４  肩ひも
５  ベルト
６  角カン等の器具
【図１】
2020093024.tif 000003